(57)【要約】      （修正有）【課題】不織布生地の両側縁を内側へ折り畳んで重畳させ、この状態で幅方向の切取線を一定間隔で形成すると共に、不織布生地の中央部位を長手方向に沿って選択的にスリッティングして、所望の一定の大きさの不織布生地ロール製品を製造する装置及び方法を提供する。【解決手段】不織布生地２が巻き付けられた生地ロールを回転させ、生地をほぐして移送し、速度比を調節することで不織布生地の張力を調節する動力伝達部と、ほぐれた不織布生地の移送を案内して生地のほぐれる量を一定に補正するガイド部と、移送される不織布生地の全体幅のうち両側縁寄りの一定幅を中央部側に折り畳んで不織布生地の幅を調整する折畳部４と、折り畳まれた状態の不織布生地上に幅方向に一定間隔の切取線を形成する切取線加工部６，７と、切取線が形成された不織布生地製品を一定の直径のロールに巻き付けるワインディング部を含む不織布加工装置。【選択図】図１ａ
2009102784.tif 000002
【特許請求の範囲】
【請求項１】
不織布生地上に長手方向に沿って一定の間隔で幅方向の切取線を形成する不織布加工装置であって、
不織布生地が巻き付けられた生地ロールの底部面に一定の圧力が印加される状態下で接触し、回転により生地をほぐして移送するためのアンワインドベルトと、
前記アンワインドベルトの回転速度を制御して、移送される不織布生地の張力の大きさを調節する動力伝達部と、
ほぐれた不織布生地の移送を案内し不織布生地のほぐれる量を一定に補正する不織布生地ガイド部と、
前記移送される不織布生地の全体幅中で両側の側縁寄りの一定の幅を中央部側へ折り畳んで全体の不織布生地の幅を調整する折畳部と、
前記折り畳まれた状態の不織布生地上に幅方向に一定の間隔の切取線を形成する切取線加工部と、
前記切取線が入った不織布生地を一定の直径のロール製品に巻くワインディング部と、を含むことを特徴とする不織布加工装置。
【請求項２】
前記動力伝達部は、
不織布生地が巻き付けられた生地ロールの内側中心部に取り付けられたアンワインダーと、
前記生地ロールの下に位置し、前記アンワインドベルトを上下方向に移動させて不織布生地ロールに一定の圧力を加える加圧部材と、
前記アンワインダーの回転軸と前記アンワインドベルトに回転力を付与する動力伝達手段を含むことを特徴とする請求項１に記載の不織布加工装置。
【請求項３】
前記動力伝達手段は、
前記アンワインドベルトに連結されて該アンワインドベルトの回転速度を制御する第１の回転ローターと、
主動力モーターに連結されて主動力を前記第１の回転ローターに伝達し、前記第１の回転ローターと中間の動力伝達ベルトに連結されている第２の回転ローターと、を含むことを特徴とする請求項２に記載の不織布加工装置。
【請求項４】
前記第１及び第２の回転ローターは、コーン（Ｃｏｎｅ）型の円錐台状をした構造をもつように形成され、直径の小さい側または直径の大きい側への前記中間の動力伝達ベルトの移動により前記アンワインドベルトの回転速度が調節されることを特徴とする請求項３に記載の不織布加工装置。
【請求項５】
前記第１及び第２の回転ローターの側方に位置調節レバーが設けられ、コーン型の前記構造を有する回転ローター上で前記中間の動力伝達ベルトの位置調整が行なえるようにしたことを特徴とする請求項４に記載の不織布加工装置。
【請求項６】
前記不織布生地のガイド部は、
不織布生地の移送を案内し、張力を調節してほぐれを補正するフィードローラーと、
上部及び下部での生地の移送をガイドする多数のガイドローラーと、を含むことを特徴とする請求項１に記載の不織布加工装置。
【請求項７】
前記折畳部は、不織布生地が内部に挿入され移送方向に沿って進みながら、折畳板により不織布生地の両側縁の一定の幅（Ｗ３）が不織布の中央部側へ折り畳まれるよう構成されたことを特徴とする請求項１に記載の不織布加工装置。
【請求項８】
前記折畳部は、
上側端が不織布生地の幅よりさらに大きく形成され、かつ下部へ行くほどその幅が狭くなるよう形成された折畳板と、
前記折畳板を通過して折り畳まれた状態の不織布生地が安着される折畳上板と、
前記折畳板全体を左右方向に移動させるための第１の調節ネジと、
前記不織布生地の折り畳まれる左右幅を調節する第２の調節ネジと、
前記折畳上板間の間隔を調節する間隔調節ネジと、を含むことを特徴とする請求項７に記載の不織布加工装置。
【請求項９】
前記折畳板は、折畳板調節ネジにより、前記不織布生地の左右対称性についての可否、及び折畳み後の不織布生地の中央部にセッティングがなされたか否かについて位置調節可能とされたことを特徴とする請求項８に記載の不織布加工装置。
【請求項１０】
前記切取線加工部は、上刃が挿入されている上部切取組立体と、不織布生地が上部に安着され下刃が取り付けられた下刃回転軸と、を含むことを特徴とする請求項１に記載の不織布加工装置。
【請求項１１】
前記下刃は下刃回転軸上で斜めに取り付けられ、切取線の形成時に上刃と下刃の合致が鋏みのように漸進的になされるようにしたことを特徴とする請求項１０に記載の不織布加工装置。
【請求項１２】
前記不織布生地の長手方向に沿った切取線間の間隔を、モニター上で入力する方式により任意に調整できるようにしたことを特徴とする請求項１１に記載の不織布加工装置。
【請求項１３】
前記切取線間の間隔調整が０．１ｍｍ〜１．０ｍｍ単位で行なわれるようにしたことを特徴とする請求項１２に記載の不織布加工装置。
【請求項１４】
前記切取線の間隔調整は、サーボモーターとエンコーダーを用いて、下刃回転軸の位置移動と回転速度を制御することにより行なわれるようにしたことを特徴とする請求項１２または１３に記載の不織布加工装置。
【請求項１５】
不織布生地上に幅方向の切取線を形成する不織布生地の加工方法であって、
不織布生地が巻き付けられた生地ロールを下部の加圧部材から一定の圧力で不織布生地ロールの外側を支持しながらアンワインドベルトを回転させ生地がほぐれて移送されるようにする段階と、
移送される不織布生地が折畳部を経ることで両側縁の一定の幅が内側へ折り畳まれ、不織布生地の全体幅が狭くなるように調整する段階と、
前記折り畳まれた状態の不織布生地が切取線加工部を経ることで幅方向の切取線を形成する段階と、
前記切取線が形成された不織布生地を、ベッドロールにより紙管棒に取り付けられた紙管に巻き付ける段階と、を含むことを特徴とする不織布加工方法。
【請求項１６】
前記不織布生地上に切取線が形成された段階の後、折り畳まれた状態の不織布生地の中央部をスリッティングして２つの不織布生地ロール製品を形成する段階をさらに含むことを特徴とする請求項１５に記載の不織布加工方法。
【請求項１７】
前記不織布生地が巻き付けられた生地ロールから生地がほぐれて移送される過程で、フィードローラーを利用して移送される不織布生地の移動をガイドし、主動力を伝達して一定の速度で回転させることにより、生地のほぐれる量を一定に補正して、移送される不織布生地の張力を調節することを特徴とする請求項１５に記載の不織布生地加工方法。
【請求項１８】
前記不織布生地が最終段のベッドロールに巻き込まれる段階で、ベッドロールに安着されている紙管棒の両側へプレスによる加圧力を与え、切取線が形成された不織布生地ロール製品の全体直径を調整できるようにしたことを特徴とする請求項１５に記載の不織布生地加工方法。
【請求項１９】
ロールに巻き付けられた不織布生地の幅を「Ｗ１」とする場合に、折畳部を経て両側縁の一定の幅が中央に折り畳まれた後における不織布生地の全体幅が（Ｗ１）／２となり、不織布生地の両側縁から中央へと折り畳まれる生地の幅が（Ｗ１）／４であることを特徴とする請求項１５に記載の不織布加工方法。
【請求項２０】
前記切取線の間隔調整は、サーボモーターとエンコーダーを用いて下刃回転軸の位置移動と回転速度を制御することにより行なわれることを特徴とする請求項１５に記載の不織布加工方法。
【請求項２１】
前記切取線の間隔調整は、０．１ｍｍ〜１．０ｍｍ単位で行なわれることを特徴とする請求項２０に記載の不織布加工方法。
【請求項２２】
請求項１５に記載の不織布加工方法により製造されたロール形態の不織布。
【請求項２３】
請求項１６に記載の不織布加工方法により製造されたロール形態の不織布。
【発明の詳細な説明】
【技術分野】
【０００１】
本発明は不織布加工装置及び方法に関し、特に不織布生地の両側縁を内側に折り畳むことで生地が重畳されるようにし、折畳み状態下で幅方向の切取線を一定の間隔に形成すると共に、不織布生地の中央部位を長手方向に沿って選択的に切断（スリッティング）することにより、所望の一定の大きさをもった不織布生地ロール製品を、より容易に製造することができる不織布加工装置及び加工方法に関する。
【背景技術】
【０００２】
一般に、ロール形態に巻き付けられた形態の不織布生地ロール上に点線状の切取線を形成するに際し、従来は切取線加工部機械の回転軸の直径に沿って点線の長さが定められており、従って、点線の長さの調節は軸径の異なる回転軸を取り替えるか、ギアを取り替えなければならないという不具合を伴う。
【０００３】
さらに、ギア比の限界により不織布生地上に形成された横方向の切取線間の精緻な長さの調節が難しいため、多様な大きさの不織布製品の製造が困難であり、加工工程中には切取線の間隔調整等がなされずより精密な製造が困難であるといった問題点がある。
【０００４】
併せて、単に一重の不織布生地を用いてこれを切り取ることになるので、より広い幅を有する不織布生地の加工が困難であるという問題点もある。
【発明の開示】
【発明が解決しようとする課題】
【０００５】
本発明は前記の従来の問題点を解決するため案出されたものであり、本発明は不織布生地の両側縁の一定の幅を両側から内側へ折り畳んで重畳させ、折り畳まれた状態で切取線を形成し、多様な大きさの不織布を形成することにより使用上の利便性を高めることができる不織布加工装置を提供することに目的がある。
【０００６】
さらに、本発明は前記の従来の問題点を解決するため一次切取線が形成された状態の不織布生地をその中央部を長手方向に沿ってスリッティングし、２つの分離された不織布製品を製造できるようにした不織布加工装置を提供することに目的がある。
【０００７】
併せて、本発明は前記の従来の問題点を解決するため切取線の形成と、選択的なスリッティング作業により多様な大きさの切取線が形成された不織布を製造する不織布加工方法、及び前記不織布加工方法により製造された不織布を提供することに目的がある。
【課題を解決するための手段】
【０００８】
本発明に係る不織布加工装置は、不織布生地上に長手方向に沿って一定の間隔で幅方向の切取線を形成する不織布加工装置であって、以下に示す構成要素を備えたことを特徴とする。
【０００９】
・不織布生地が巻き付けられた生地ロールの底部面に一定の圧力が印加される状態下で接触し、回転により生地をほぐして移送するためのアンワインドベルト。
・前記アンワインドベルトの回転速度を制御して、移送される不織布生地の張力の大きさを調節する動力伝達部。
・ほぐれた不織布生地の移送を案内し不織布生地のほぐれる量を一定に補正する不織布生地ガイド部。
・前記移送される不織布生地の全体幅中で両側の側縁寄りの一定幅を中央部側に折り畳んで全体の不織布生地の幅を調整する折畳部。
・前記折り畳まれた状態の不織布生地上に幅方向に一定の間隔の切取線を形成する切取線加工部。
・前記切取線が入った不織布生地製品を一定の直径のロールに巻くワインディング部。
【００１０】
本発明に係る前記動力伝達部は、不織布生地が巻き付けられた生地ロールの内側中心部に取り付けられたアンワインダーと、前記生地ロールの下に位置し、前記アンワインドベルトを上下方向に移動させて不織布生地ロールに一定の圧力を加える加圧部材と、前記アンワインダーの回転軸と前記アンワインドベルトに回転力を付与する動力伝達手段を含む構成とされる。
【００１１】
前記動力伝達手段としては主動力モーターから動力を伝達され、前記アンワインドベルトに連結されてアンワインドベルトの回転速度を制御する第１の回転ローターと、主動力モーターに連結されて主動力を前記第１の回転ローターに伝達し、前記第１の回転ローターと中間の動力伝達ベルトに連結されている第２の回転ローターとを含むことが好ましい。
【００１２】
前記第１及び第２の回転ローターはコーン（Ｃｏｎｅ）型の円錐台状をした構造に形成され、直径の小さい側または直径の大きい側への前記中間の動力伝達ベルトの移動によりアンワインドベルトの回転速度が調節されるように構成することが好ましい。
【００１３】
本発明に係る前記回転ローターの側方には位置調節レバーを設け、コーン型の前記構造を有する前記回転ローター上で前記中間の動力伝達ベルトが移動して位置調整が行なわれるようにする。
【００１４】
本発明に係る前記不織布生地のガイド部は、不織布生地の移送を案内し張力を調節してほぐれを補正するフィードローラーと、上部及び下部での生地の移送をガイドする多数のガイドローラーを含む構成とされる。
【００１５】
さらに、本発明に係る前記折畳部は、不織布生地が内部に挿入され移送方向に沿って進みながら、折畳板により不織布生地の両側縁の一定の幅（Ｗ３）が不織布の中央部側に折り畳まれるように構成する。
【００１６】
併せて、本発明に係る前記折畳部は、上側端が不織布生地の幅よりさらに大きく形成され、下部へ行くほどその幅が狭くなるように形成された折畳板と、前記折畳板を通過して折り畳まれた状態の不織布生地が安着される折畳上板と、前記折畳板全体を左右方向に移動させる第１の調節ネジと、不織布生地の折り畳まれる左右幅を調節する第２の調節ネジと、前記折畳上板間の間隔を調節する間隔調節ネジとで構成されることが好ましい。
【００１７】
さらに、前記折畳板は、折畳板調節ネジにより、不織布生地の左右対称性についての可否、及び折畳み後の不織布生地の中央部にセッティングがなされた否かについて位置調節を行えるように構成する。
【００１８】
さらに、本発明に係る前記切取線加工部は、上刃が挿入されている上部切取組立体と、不織布生地が上部に安着され下刃が取り付けられた下刃回転軸を含み、前記下刃は下刃回転軸上で斜めに取り付けられ、切取線の形成時に上刃と下刃の合致（刃合い）が鋏みのように漸進的になされるようにするのが好ましい。
【００１９】
さらに、前記不織布生地の長手方向に沿った切取線間の間隔調整を、モニター上で入力する方式により行えるように構成すことで、作業者の操作上便利になる。このとき、前記切取線間の間隔調整は０．１ｍｍ〜１．０ｍｍ単位で行えるようにすることが好ましい。
【００２０】
前記切取線の間隔調整は、サーボモーターとエンコーダーを用いて下刃回転軸の位置移動と回転速度を制御することにより行なわれるようにするのが好ましい。
【００２１】
さらに、本発明に係る不織布加工方法は、不織布生地上に幅方向の切取線を形成する不織布生地の加工方法であり、以下に示す段階を有する。
【００２２】
・不織布生地が巻き付けられた生地ロールを下部の加圧部材から一定の圧力で不織布生地ロールの外側を支持しながらアンワインドベルトを回転させて生地がほぐれて移送されるようにする段階。
・移送される不織布生地が折畳部を経ることで両側縁の一定の幅（Ｗ３）が内側に折り畳まれ不織布生地の全体幅が狭くなるように調整する段階。
・前記折り畳まれた状態の不織布生地が切取線加工部を経ることで幅方向の切取線を形成する段階。
・前記切取線が形成された不織布生地を、ベッドロールにより紙管棒に取り付けられた紙管に巻き付ける段階。
【００２３】
本発明に係る前記不織布生地上に切取線が形成された段階の後、折り畳まれた状態の不織布生地の中央部をスリッティングしてスリッティング線が形成された２つの不織布生地ロール製品を形成する段階を選択的にさらに含めることができる。
【００２４】
前記不織布生地が巻き付けられた生地ロールから生地がほぐれて移送される過程で、フィードローラーを利用して移送される不織布生地の移送をガイドし、主動力を伝達して一定の速度で回転させることにより、生地のほぐれる量を一定に補正して、移送される不織布生地の張力を調節することが好ましい。
【００２５】
さらに、前記不織布生地が最終段のベッドロールに巻き付けられる段階で、ベッドロールに安着されている紙管棒の両側へプレスによる加圧力を与え、切取線が形成された不織布生地ロール製品の全体直径を調整できるようにすることが好ましい。
【００２６】
ロールに巻き付けられた不織布生地の幅を「Ｗ１」とする場合に、折畳部を経て両側縁の一定の幅（Ｗ３）が中央に折り畳まれた後における不織布生地の全体幅が（Ｗ１）／２となり、不織布生地の両側縁から中央へと折り畳まれる生地の幅が（Ｗ１）／４になるようにする。
【発明の効果】
【００２７】
本発明に係る不織布加工装置及び加工方法によれば、不織布生地の両側縁で一定の幅を中央部に折り畳んで重畳させ、折畳み状態の下で切取線を形成することにより、製造された不織布の幅について多様化を実現し、使用時に利便性を高めることができるという効果を奏する。
【００２８】
併せて、本発明は切取線の加工時にモニター上で入力する方式により長手方向の切取線間の間隔調整を０．１ｍｍ〜１．０ｍｍ単位で自在に調節することができるので、製造工程上の効率が向上するという効果を奏する。
【００２９】
さらに、本発明は不織布生地の移送速度の差に伴う点線の長さの偏差を無くすことができ、補償値を与えて一定の間隔の点線を維持し、動力伝達手段の１つとしてタイミングベルトを用いることにより切取線間の間隔の偏差をより減少させ、製品の精度を向上させることができるという効果を奏する。
【発明を実施するための最良の形態】
【００３０】
以下、図を参照しながら本発明に係る不織布加工装置の好適な実施形態について詳しく説明する。
【００３１】
図１ａ〜図１ｃは、本発明に係る不織布生地加工装置の全体組立図であり、図１ａは側面図で、図１ｂは平面図であり、図１ｃは正面図をそれぞれ示した図である。
【００３２】
さらに、図２ａ〜図２ｆは本発明に係る不織布加工装置の主要構成部位を示した図である。図２ｇと図２ｈは、不織布生地の折畳みによる幅の変化状態を示した図である。
【００３３】
図示されているように、本発明に係る不織布加工装置５０は不織布生地２の両側縁を中央部側に一定の幅で折り畳んで重畳させ、折り畳まれた状態にて一定の長さの間隔で幅方向の切取線（図４ａと図４ｂの２４）を形成し多様な大きさの不織布を製造することができ、使用に便利であり、加工工程の容易さと高効率性を図る不織布加工装置である。
【００３４】
即ち、本発明に係る不織布加工装置５０は、不織布生地２が巻き付けられた生地ロール２０の底部面に一定の圧力が印加される状態下で接触し、回転により生地２をほぐして移送するためのアンワインドベルト２１と、前記アンワインドベルト２１の回転速度を制御し移送される不織布生地２の張力の大きさを調節する動力伝達部と、ほぐれた不織布生地２の移送を案内し不織布生地２のほぐれる量を一定に補正する不織布生地ガイド部３と、前記移送される不織布生地２の全体幅のうち両側の側縁寄りの一定幅を中央部側に折り畳み全体不織布生地２の幅を調整する折畳部４と、前記折り畳まれた状態の不織布生地２上に幅方向に一定の間隔の切取線２４を形成する切取線加工部と、前記切取線２４が入った一定の直径の不織布生地ロール製品２０´に巻くワインディング部を含む構成をもつ。
【００３５】
このとき、本発明は必要に応じて、前記切取線が形成された不織布生地の中央部を長手方向に切断（スリッティング）して分割するスリッティング部８を選択的にさらに含むことができる。
【００３６】
図２ａ〜図２ｄは、本発明に係る不織布加工装置５０において、巻き付けられた状態の不織布生地２をほぐす送給器のアンワインダー（ｕｎｗｉｎｄｅｒ）１と、不織布生地２の移送のためのフィードローラー３ｃとガイドローラー３ａ、３ｂからなるローラー３、アンワインドベルト２１、前記アンワインドベルト２１に圧力を印加して作動させる加圧部材２３、及び不織布生地２が巻き付けられた生地ロール２０の設置状態を示した図である。
【００３７】
さらに、図２ｅ〜図２ｈは本発明に係る不織布加工装置において、設置板（折畳板）４ａと折畳上板４ｂにより不織布生地２の折り畳まれる状態を示した図である。
【００３８】
前記図を共に参照すれば、不織布生地２を移送させる動力伝達部は、図２ａ〜図２ｃに示されているように、不織布生地２が巻き付けられた生地ロール２０の内側中心部に取り付けられたアンワインダー１と、前記不織布生地ロール２０の下に位置し、前記アンワインドベルト２１を上下方向に移動させて不織布生地ロール２０に空圧により一定の圧力を加える加圧部材２３と、前記アンワインダー１の回転軸と前記アンワインドベルト２１に回転力を付与する動力伝達手段を含む構成からなる。
【００３９】
前記アンワインダー１は前記アンワインドベルト２１から動力を伝達され、内部にベアリング（図示省略）が取り付けられ前記アンワインドベルト２１の回転時に空回転が行なわれることになる。
【００４０】
前記動力伝達手段は主動力モーターから動力を伝達され、前記アンワインドベルト２１に連結されてアンワインドベルト２１の回転速度を制御する第１の回転ローター２７と、主動力モーター１２に連結されて主動力を前記第１の回転ローター２７に伝達し、前記第１の回転ローター２７と中間の動力伝達ベルト２９に連結されている第２の回転ローター２８とを含む構成からなる（図７ａを参照）。前記第１の回転ローター２７と第２の回転ローター２８の構成及び作動に対しては後で再度説明する。
【００４１】
前記不織布生地ロール２０から一重ずつほぐれて移動される不織布生地２を所望の移送方向に沿って移動されるよう案内するガイド部３は、上部と下部にそれぞれ位置するガイドローラー３ａ、３ｂと、前記ガイドローラー３ａ、３ｂを介して移送される不織布生地のほぐれる量が一定になるよう補正するフィードローラー３ｃからなる（図２ａと図２ｄを参照）。
【００４２】
本発明に係る折畳部４は、その内側に不織布生地２が挿入されていくに伴い、不織布生地２の全体幅（Ｗ１）のうち両側の側縁寄りの一定の幅（Ｗ３）が中央部側に折られて重畳されるようにする部分であり、折畳部の上側端は最初の不織布生地２の幅であるＷ１以上の大きさに形成され、下部へ行くほどその幅が狭くなるように形成された折畳板４ａと、前記折畳板４ａを通過して折り畳まれた状態の不織布生地２が安着される折畳上板４ｂと、前記折畳板４ａと折畳上板４ｂ全体を左右方向に移動させる第１の調節ネジ４ｄと、不織布生地２の折り畳まれる左右幅を自在に調節する第２の調節ネジ４ｃと、折畳上板４ｂとの間の間隔（幅）を調節する間隔調節ネジ４ｅとを含む構成からなる。
【００４３】
従って、本発明では前記第１の調節ネジ４ｄ及び第２の調節ネジ４ｃを利用して不織布生地２の加工工程が進められる最中でも不織布生地２の両側縁の折り幅を自在に調整することができ、調整作業を速やかに行えるので、作業に伴う不良率を低減できるようになる（図２ｅ〜図２ｈを参照）。
【００４４】
さらに、フィードローラー３ｃに巻き付けられた不織布生地２は元来の幅Ｗ１が維持され、折畳板４ａを通過して折畳上板４ｂを経由する折り畳まれた状態の不織布生地２の幅はＷ２に縮小されることになる。例えば、前記不織布生地２の幅Ｗ１が４８ｃｍであれば、折り畳まれた状態の不織布生地２の幅Ｗ２は２４ｃｍとなる。併せて、不織布生地の両側縁における折り畳まれた幅Ｗ３は１２ｃｍとなる。前記幅Ｗ１とＷ２、及びＷ３は不織布の種類及び用途に従い数値が幾らでも異なり得る（図２ｇと図２ｈを参照）。
【００４５】
図３ａ〜図３ｄは、本発明に係る切取線加工部６、７の構成を示す図である。
【００４６】
図示されているように、本発明に係る切取線加工部６、７は前記折畳部４を通過して折り畳まれた状態の不織布生地２上に幅方向に点線形態の切取線２４を形成する部位である。
【００４７】
前記切取線加工部６、７は上部刃（以下、「上刃」という）と下部刃（以下、「下刃」という）を含む構成からなり、前記上刃６ｂは上部切取組立体６ａ内に取り付けられており、下刃７ｂは下部回転軸７ａ上にそれぞれ取り付けられている。
【００４８】
前記上刃６ｂは、上部切取組立体６ａに脱着可能な形態で結紮され、エアシリンダーの作用により上部切取組立体６から上下に移動することになり、切取線加工の切取りと解除を選択的に行なうことができる。
【００４９】
下刃７ｂは下部の回転軸７ａ内に取り付けられており、取り付けられた状態で下刃７ｂは回転軸７ａの中心軸に対し一定の角度をもって傾斜して結紮されている。従って、上刃６ｂと下刃７ｂが互いに交差し不織布を切断する動作は、恰も鋏みのように、切断される部位が一度に行なわれず、一の側から側方向に移動する形態で切取線２４の形成がなされることになる。
【００５０】
従って、点線形態の切取線２４を形成する上刃６ｂの刃の深さと刃の長さに亘って一定の間隔で形成された上刃溝６ｃにより切取線２４が形成された不織布製品の切取強度が決められる。
【００５１】
即ち、前記上刃６ｂは図３ｂに示されているように、刃が形成された下端部に一定の間隔の溝６ｃが形成され不織布生地２の切断時に点線形態の切取線２４を形成することになる。これに伴い、前記上刃溝６ｃの間隔（ｄ）が長い場合には不織布生地２上に切断される部位が増えて不織布生地２の強度が低下し、前記上刃溝６ｃの間隔（ｄ）が狭くなると不織布生地２上の切断される部位が縮小することになるので、不織布生地２の強度が増加することになる。
【００５２】
前記上刃底部に形成された溝６ｃの間隔（ｄ）は上刃６ｂの種類に従い固定され、切取線の溝６ｃの間隔（ｄ）を調整しようとするときは上刃６ｂ自体を取り替えなければならない。さらに、上刃に形成された溝６ｃの深さによっても不織布生地２の強度が決定付けられ、上刃の溝６ｃの深さは上刃組立体６ａに締結されたボルトを調節し、上刃６ｂと下刃７ｂが噛み合う程度を調節して溝の深さを決定し、これをもって不織布生地２の強度を調節することになる。
【００５３】
次に、前記上刃組立体６の上刃結紮部６ａは内部空間に上刃を結紮させるためのボルト等の結紮手段が自ら備えられ、このとき、上刃６ｂは上刃結紮部６ａの下端に一定の長さで突出して出るようにし、エアシリンダー５の作動により上刃組立体６の全体が上下に往復移動し切取線２４の加工の有無を選択することになる。
【００５４】
図３ｃと図３ｄは、本発明に係る下刃組立体７の構成を示した図である。図示されているように、下刃組立体７は前記上刃組立体６の下部に位置し、前記上刃組立体６と対応して下刃組立体７の上部を経由する不織布生地２上に切取線２４を形成することになる。
【００５５】
本発明に係る下刃組立体７は回転軸に形成された下刃結紮部７ａと、前記下刃結紮部７ａに結紮される下刃７ｂで構成され、このとき前記下刃７ｂは前記下刃結紮部７ａ上に斜めに結紮される。即ち、図３ｄに示されているように、回転軸となる下刃結紮部７ａの軸方向に沿って一直線形態に結紮されず、一定の角度で傾斜した形態に結紮される。従って、前記で説明したように、上刃６ｂと下刃７ｂは恰も鋏みの作動のように２つの刃が一度に交差されず漸進的に交差して作動する。
【００５６】
一方、上刃組立体６にはエアシリンダーが取り付けられており、上刃組立体６を上方向に持ち上げれば切取線加工を行わない状態になるので、前記エアシリンダーの操作により不織布生地２上で切取線の加工有無を選択的に行なうことができる。
【００５７】
図４ａ〜図４ｃは、本発明に係る不織布生地２のスリッティング部の構造を示した図である。
【００５８】
本発明に係るスリッティング部８は、不織布生地２の中央部位を長手方向に沿って切断する刃が形成されたスリッティングローラー８ａと、前記スリッティングローラー８ａを上端に結紮させるスリッティングローラー結紮具８ｂからなり、前記スリッティングローラー結紮具８ｂは横方向に設けられたローラー据置台８１に結紮される。
【００５９】
従って、不織布生地２の中央を切断するスリッティング作業は前記スリッティング部８を脱紮させることにより選択的に行なわれる。
【００６０】
例えば、スリッティングローラー８ａによる作業が行われると２つの製品が生産され、スリッティングローラー８ａ作業が行われないと、この２つの製品に比べて幅が２倍大きい１つの不織布ロール製品が形成される。
【００６１】
図５は、前記図４に示したスリッティングローラー８ａによりスリッティングが行なわれた２つの不織布生地ロール製品２０´が形成された状態を示した図である。図６は、本発明に係る紙管棒加圧用プレス１４の構造を示した図である。
【００６２】
前記図２を共に参照すれば、スリッティングされた不織布生地２は回転軸の紙管棒１０に取り付けられた紙管１０ａに巻き付けられ、工程の進行に伴い前記紙管１０ａに巻き付けられる不織布生地２は設定された長さになるまで進められる。
【００６３】
このとき、前記移送される不織布生地２の底部に位置するベッドロール９は不織布生地２の移送状態に合わせて速度を調節することにより不織布生地２の張力を調節することができる。
【００６４】
さらに、本発明に係る前記紙管棒１０は両端にベアリング（図示省略）が挿入されており、プレス１４が押えても紙管棒１０が回転しながら切取線２４が形成された不織布生地２を巻き付けることになる。
【００６５】
併せて、不織布生地２が直接的に巻き付けられる紙管１０ａはスリッティング作業が行われる場合、図示されているように、２つの不織布生地ロール製品２０´が形成されて出るので２つがセッティングされ、不織布生地２の中央スリッティング作業が行われない場合は、１つの紙管１０ａのみをセッティングすればよい。
【００６６】
図示のように、本発明に係る紙管１０ａに巻き付けられる不織布生地２には上部に設けられたプレス１４により加圧されることにより、加工された不織布生地ロール製品２０´に一定の圧力が印加されることによって不織布生地ロール製品２０´の直径の大きさを調節する。
【００６７】
即ち、上部のエアシリンダー１６の圧力を調節してプレス１４の加圧部１４ｂが加圧力の強度を決定し、その力は紙管棒１０が回転しながら不織布生地２を巻くとき一定の圧力を加えて不織布生地ロール製品２０´の大きさを決定する。
【００６８】
例えば、プレス１４の上部に位置したエアシリンダー１６の圧力を高く設定すれば、加圧力が増加し不織布生地２が巻き付けられる不織布生地ロール製品２０´に大きい力が伝えられ全体の直径が縮小することになる。
【００６９】
前記プレス１４は、上側のエアシリンダー１６に連結された加圧棒１４ａと、前記加圧棒１４ａの端部に連結され一定の圧力を紙管棒１０に印加する加圧部１４ｂと、前記加圧部１４ｂの両側端と接触し加圧棒１４ａの上下移動時に案内するガイド部１４ｃを含む構成からなる。
【００７０】
一方、前記のように紙管１０ａに巻き付けられる不織布生地ロール製品２０´の直径の大きさを、プレス１４を利用して調節する理由は次の通りである。
【００７１】
本発明に係る不織布生地２を用いて製造された製品の１つである不織布タオルの場合、不織布タオルは自動お絞り製造機に取り付けられ即座にお絞りを製造するとき用いられる。
【００７２】
自動お絞り製造機で不織布タオルが取り付けられる空間は製造会社別に差がある。例えば、タオルの全体の長さを４０ｍに仮定すれば、この構造のタオルが取り付けられる自動お絞り製造機がある反面、取付けが不可能な自動お絞り製造機もあることになる。このような場合に鑑み、本発明では不織布生地ロール製品２０´の直径に関して、プレス１４機を利用して消費者が望む直径に調節できるようにする。
【００７３】
併せて、不織布生地２の使用目的、例えば産業用とするか家庭用とするか等の目的に応じて生地の厚さにおいて差があり、さらに同じ目的であっても同一の不織布生地２における厚さの偏差があるので、最終の不織布生地ロール製品２０´の直径を望む許容範囲内で生産するのが困難であるので、前記プレス１４で加圧することにより製品の直径の調節が必要になる。
【００７４】
図７ａと図７ｂは本発明に係る不織布加工装置の側面部に取り付けられた動力伝達手段の構成を概略的に示した図である。図７ｂは前記図７ａのＡ部の拡大図である。
【００７５】
図示されているように、動力伝達手段を形成する２つの回転ローター２７、２８が本発明に係る加工装置５０の側面に備えられている。
【００７６】
図示された図面で、第１の回転ローター２７は主動力モーター（図１ａの符号１２参照）から動力を伝えられた第２の回転ローター２８から動力を伝えられ、前記アンワインドベルト２１に連結されアンワインドベルト２１の回転速度を制御する役割を果たす。
【００７７】
併せて、前記第１の回転ローター２７と第２の回転ローター２８との間には中間の動力伝達ベルト２９に連結されており、相互回転力が伝えられる構成になっている。
【００７８】
特に、前記第１の回転ローター２７と前記第２の回転ローター２８はその形状がコーン（Ｃｏｎｅ）型の円錐台状をした構造で形成され、直径の小さい側または直径の大きい側への前記中間動力伝達ベルト２９の移動によりアンワインドベルト２１の回転速度が調節される。
【００７９】
さらに、前記回転ローター２７、２８の側方向には位置調節レバー３０が設けられており、コーン型の前記構造を有する回転ローター２７、２８上で前記中間動力伝達ベルト２９が移動し位置調整が行なわれ得る。
【００８０】
一方、図７ａと図７ｂに示されているように、駆動源により動力を各回転軸に伝える動力伝達手段として本発明では図示されているようなタイミングベルト１８を用い、サーボモーター１７の作動で下刃回転軸７ａの回転速度を調節し不織布生地２上に形成される切取線２４間の間隔を調節することになる。
【００８１】
図示された前記サーボモーター１７とエンコーダー１９の使用により切取線２４間の間隔を調節するだけでなく、速度に従い切取線２４間の間隔誤差を最小化させることができる。
【００８２】
参考に、前記不織布生地２上に形成される切取線２４の間隔調節のため本発明の各構成部品の作動原理について説明する。
【００８３】
不織布生地２の移送速度を線速度に定義すれば、前記線速度は主動力部の移送速度になる。さらに、前記線速度を基準に比較し不織布生地２の移送時に下刃回転軸７ａの回転速度を面速度として定義する。
【００８４】
本発明の図７ａと図７ｂに示されているエンコーダー１９とサーボモーター１７装置において、エンコーダー１９は線速度を読み取り、面速度を決定する装置であり、サーボモーター１７は前記エンコーダー１９から収集され命令された面速度データにより下刃回転軸７ａを所定速度で回転させる装置である。
【００８５】
従って、不織布生地２が移送される速度である線速度を本発明に係る不織布加工装置５０に取り付けられたエンコーダー１９（図７ａと図７ｂを参照）が読み取り、不織布生地２の移送速度を基準に比較しモニター上に設定された切取線間隔（生地の長手方向の間隔）を加工するため下刃回転軸７ａの回転速度（面速度）をエンコーダー１９が決定することになると、決定された面速度データをエンコーダー１９はサーボモーター１７に命令することになり、この命令値によりサーボモーター１７は面速度を実現することになる。
【００８６】
即ち、線速度に比べ面速度を制御することにより線速度の緩急に拘らず常に一定の間隔を維持することができ、切取線間の間隔を０．１ｍｍ〜１．０ｍｍ単位で精密に制御することができる。
【００８７】
前記のような構成を有する本発明に係る不織布加工装置における動作及び作用について説明する。
【００８８】
先ず、不織布生地２を巻き付けている生地ロール２０の外側面をアンワインドベルト２１が加圧部材２３の作動による空圧で一定の圧力を印加しながら回転することにより不織布生地２をほぐす。このとき、加工する不織布生地２をフィードローラー３により生地のほぐれる量が一定になるよう補正する（前記フィードローラー３は主駆動部とベルトで連結されており、主駆動部の回転速度と同じ速度で回転するため、生地のほぐれる量が一定に調整される）。
【００８９】
不織布生地２は折畳板４ａにより幅の調整が行なわれ、前記折畳板４ａはネジ式になっているので装置の運転中にも両側それぞれの折られる幅の調整を自在に行なうことができるようになる。これにより、生地の折り畳まれる幅の調整が速やかに行われ、工程上の不良率を減少させることができるようになる。
【００９０】
さらに、不織布生地の折畳板４ａ全体を左右側方向に移動することができるので、スリッティング工程が行なわれる場合、不織布生地２の中央を切断して使用するとき、両側の大きさを正確に生産することができる。
【００９１】
即ち、折畳板４ａで生地を両側に折って切取線加工部６、７を通過すれば、点線形態の切取線２４の形成作業が行われ、切取線２４が入った状態で移動する不織布生地２の中央部を本発明に係るスリッティングローラー８ａを用いて不織布生地２の長手方向に沿ってその中央を切断する。この場合、刃が形成されたスリッティングローラー８ａにより生地製品が２つに分けられ、前記スリッティングローラー８ａは着脱することができる構造であるので、スリッティングローラー８ａを構造物から分離させてスリッティング工程が省かれると、生産される生地製品はその幅が２倍に増加することになる。
【００９２】
不織布生地２の最終加工段階で、紙管１０ａの上部に巻き付けられる不織布生地２製品は、その底部に位置するベッドロール９の回転速度の調節により、生地２が巻き付けられる張力の調節が可能であり、紙管棒１０の回転により紙管１０ａの上部に巻き付けられる。
【００９３】
前記巻き付けられる不織布生地２製品の上部にはプレス１４が備えられており、プレスの加圧部１４ｂはプレス１４の上側に設けられたエアシリンダー１６の作動により上下部に移動し、紙管棒１０を加圧することで、製品の大きさを調節できるようになる。
【００９４】
一方、前記方式と別に、前記プレスの加圧部１４ｂは不織布生地ロール製品２０´の外側面を加圧することもでき、この場合はロールシャフト、シャフト固定台等の追って必要な部品の設置に伴う費用が増大することになる。
【００９５】
従って、前記プレス１４を利用した加圧で紙管１０ａに巻き付けられる不織布生地ロール製品２０´の外側面を加圧して製品の大きさを調節することができるようになる。これと共に、紙管１０ａに巻き付けられる生地ロール製品２０´の外径が一定であって、外観が綺麗な状態で巻き付け作業を行えるようになる。
【００９６】
併せて、本発明はサーボモーター１７とエンコーダー１９等の部品を用いた最新の作動メカニズムにより不織布生地２上に形成される切取線２４の間隔をより精密に制御することができ、さらに紙管１０ａに巻き付けられる不織布生地ロール製品２０´において、プレス１４の作動で外径の大きさを精緻に調整することができるので、多様な製品に適用可能になる。
【００９７】
以上で説明した本発明に係る不織布加工装置は、前記で記載された実施形態に限定するものではなく、本発明の思想及び範囲を外れない限り多様に修正及び変更できることは当業者に明らかであると言えるので、そのような変形例または修正例等は本発明の特許請求の範囲に属するものである。
【図面の簡単な説明】
【００９８】
【図１ａ】本発明に係る不織布生地加工装置の全体組立構造を示した図である。
【図１ｂ】本発明に係る不織布生地加工装置の全体組立構造を示した図である。
【図１ｃ】本発明に係る不織布生地加工装置の全体組立構造を示した図である。
【図２ａ】本発明に係る不織布加工装置において、巻き付けられた状態の不織布生地をほぐして移送する関連部品の設置状態を示した図である。
【図２ｂ】本発明に係る不織布加工装置において、巻き付けられた状態の不織布生地をほぐして移送する関連部品の設置状態を示した図である。
【図２ｃ】本発明に係る不織布加工装置において、巻き付けられた状態の不織布生地をほぐして移送する関連部品の設置状態を示した図である。
【図２ｄ】本発明に係る不織布加工装置において、巻き付けられた状態の不織布生地をほぐして移送する関連部品の設置状態を示した図である。
【図２ｅ】本発明に係る不織布加工装置において、生地を折り畳む折畳部の構成と不織布生地が折り畳まれる状態を示した図である。
【図２ｆ】本発明に係る不織布加工装置において、生地を折り畳む折畳部の構成と不織布生地が折り畳まれる状態を示した図である。
【図２ｇ】本発明に係る不織布加工装置において、生地を折り畳む折畳部の構成と不織布生地が折り畳まれる状態を示した図である。
【図２ｈ】本発明に係る不織布加工装置において、生地を折り畳む折畳部の構成と不織布生地が折り畳まれる状態を示した図である。
【図３ａ】本発明に係る切取線加工部の構成を示した図である。
【図３ｂ】本発明に係る切取線加工部の構成を示した図である。
【図３ｃ】本発明に係る切取線加工部の構成を示した図である。
【図３ｄ】本発明に係る切取線加工部の構成を示した図である。
【図４ａ】本発明に係る不織布生地のスリッティング部の構造を示した図である。
【図４ｂ】本発明に係る不織布生地のスリッティング部の構造を示した図である。
【図４ｃ】本発明に係る不織布生地のスリッティング部の構造を示した図である。
【図５】図４に示したスリッティングローラーによりスリッティングが行なわれた２つの不織布生地ロール製品が形成された状態を示した図である。
【図６】本発明に係る紙管棒加圧用のプレス構造を示した図である。
【図７ａ】本発明に係る不織布加工装置の側面部に取り付けられた動力伝達装置の構成を概略的に示した図である。
【図７ｂ】本発明に係る不織布加工装置の側面部に取り付けられた動力伝達装置の構成を概略的に示した図である。
【符号の説明】
【００９９】
１  アンワインダー
２  不織布生地
３  不織布生地ガイド部
４  折畳部
５、１６  エアシリンダー
６、７  切取線加工部
８  スリッティング加工部
９  ベッドロール
１０  ワインダー（紙管棒）
１２  主動力モーター
１４  プレス
１６  プレス用エアシリンダー
１７  サーボモーター
１８  タイミングベルト
１９  エンコーダー
２０  不織布生地ロール
２０´  不織布生地ロール製品
２１  アンワインドベルト
２３  加圧部材
２４  切取線
２６  スリッティング線
２７  第１の回転ローター
２８  第２の回転ローター
２９  中間動力伝達ベルト
【図１ａ】
2009102784.tif 000003
【図１ｂ】
2009102784.tif 000004
【図１ｃ】
2009102784.tif 000005
【図２ａ】
2009102784.tif 000006
【図２ｂ】
2009102784.tif 000007
【図２ｃ】
2009102784.tif 000008
【図２ｄ】
2009102784.tif 000009
【図２ｅ】
2009102784.tif 000010
【図２ｆ】
2009102784.tif 000011
【図２ｇ】
2009102784.tif 000012
【図２ｈ】
2009102784.tif 000013
【図３ａ】
2009102784.tif 000014
【図３ｂ】
2009102784.tif 000015
【図３ｃ】
2009102784.tif 000016
【図３ｄ】
2009102784.tif 000017
【図４ａ】
2009102784.tif 000018
【図４ｂ】
2009102784.tif 000019
【図４ｃ】
2009102784.tif 000020
【図５】
2009102784.tif 000021
【図６】
2009102784.tif 000022
【図７ａ】
2009102784.tif 000023
【図７ｂ】
2009102784.tif 000024